(57)【要約】【課題】  日の丸を特別の態様に具象化した美的標章を付したリボン徽章や旗類等をイベント参加時や平時生活上などにおいて広く使用することによって東京オリンピックをはじめ国内での関連するイベントが日の丸尊厳意識のもと盛り上がって成功に導かれるようにするとともに平時においても日の丸尊厳意識を高く維持した生活が営まれるようにすることができるリボン徽章・旗類などの標章表示薄地材を提供すること。【解決手段】  布帛、樹脂あるいは紙質などによる薄地材よりなり一辺が短く他辺が長くなった矩形をしたもので先端端部には山型切欠きが形成され、短い一辺を幅方向として、その幅間中央には紅色あるいは赤色のストライプあるいは丸などの幾何学形状がまたその両側には白色ストライプが施されているとともに、白色ストライプの各外側には金色ストライプが、さらに最外側には青色ストライプが施されてなる。【選択図】図１
0003218449.tif 000002
【実用新案登録請求の範囲】
【請求項１】
布帛、樹脂あるいは紙質などによる薄地材よりなり一辺が短く他辺が長くなった矩形をしたもので先端端部には山型切欠きが形成され、短い一辺を幅方向として、その幅間中央には紅色あるいは赤色のストライプあるいは丸などの幾何学形状がまたその両側には白色ストライプが施されているとともに、白色ストライプの各外側には金色ストライプが、さらに最外側には青色ストライプが施されてなる標章表示薄地材。
【考案の詳細な説明】
【技術分野】
【０００１】  本考案は、リボン徽章・旗類などの標章表示薄地材に関する。
【背景技術】
【０００２】  オリンピックが東京で開催されようとしている中、その開催を前にして各種イベント等を早い段階から盛り上げる必要がある。
【先行技術文献】
【特許文献】
【０００３】
【特許文献１】
【考案の概要】
【考案が解決しようとする課題】
【０００４】  現状では東京オリンピックを象徴するエンブレムがチェッカーデザインを表象したものとして正式に認定され使用されているが、開催を一層盛り上げるためにより具象的なデザインの提供が必要とされているところである。【０００５】  本考案は、こうした問題を解決しようとするものであり、日の丸を特別の態様に具象化した美的標章を付したリボン徽章や旗類等をイベント参加時や平時生活上などにおいて広く使用することによって東京オリンピックをはじめ国内での関連するイベントが日の丸尊厳意識のもと盛り上がって成功に導かれるようにするとともに平時においても日の丸尊厳意識を高く維持した生活が営まれるようにすることができるリボン徽章・旗類などの標章表示薄地材を提供することを目的とする。
【課題を解決するための手段】
【０００６】  本考案は上記目的を達成するため、請求項１に記載の考案は、布帛、樹脂あるいは紙質などによる薄地材よりなり一辺が短く他辺が長くなった矩形をしたもので先端端部には山型切欠きが形成され、短い一辺を幅方向として、その幅間中央には紅色あるいは赤色のストライプあるいは丸などの幾何学形状がまたその両側には白色ストライプが施されているとともに、白色ストライプの各外側には金色ストライプが、さらに最外側には青色ストライプが施されてなる。
【考案の効果】
【０００７】  上述したように請求項１に記載の考案は、布帛、樹脂あるいは紙質などによる薄地材よりなり一辺が短く他辺が長くなった矩形をしたもので先端端部には山型切欠きが形成され、短い一辺を幅方向として、その幅間中央には紅色あるいは赤色のストライプあるいは丸などの幾何学形状がまたその両側には白色ストライプが施されているとともに、白色ストライプの各外側には金色ストライプが、さらに最外側には青色ストライプが施されてなるので、日の丸を特別の態様に具象化した美的標章を付したリボン徽章や旗類等をイベント参加時や平時生活上などにおいて広く使用することによって東京オリンピックをはじめ国内での関連するイベントが日の丸尊厳意識のもと盛り上がって成功に導かれるようにするとともに平時においても日の丸尊厳意識を高く維持した生活が営まれるようにすることができるリボン徽章・旗類などの標章表示薄地材を提供することができる。
【図面の簡単な説明】
【０００８】
【図１】  本考案の一実施形態を示す標章表示薄地材の正面図。
【図２】  他の実施形態を示す正面図。
【図３】  他の実施形態を示す正面図。
【図４】  他の実施形態を示す正面図。
【図５】  他の実施形態を示す正面図。
【図６】  他の実施形態を示す正面図。
【図７】  他の実施形態を示す正面図。
【図８】  他の実施形態を示す正面図。
【図９】  他の実施形態を示す正面図。
【図１０】  付加的な提案例を示す正面図。
【図１１】  他の付加的な提案例を示す正面図。
【考案を実施するための形態】
【０００９】  以下、本考案である標章表示薄地材の一実施形態を図１に基づいて説明する。
図１は標章表示薄地材がリボン徽章である場合の一例を示すもので、１はアセテート製の標章表示薄地材で、他の樹脂製であったり布帛あるいは紙質などの薄地材を材料としてもよく、縦×横が約６５ｍｍ×２０ｍｍの縦長形状とされている。この縦横寸法はこれに限定されず、例えば、縦×横が９０×３０であってもよい。この標章表示薄地材１の上端部には、安全ピン１０を通すためのピン通し１ａが折り返し袋状に形成される一方、下端部には富士山を象る山型切欠き１ｂが形成されている。
【００１０】  前記縦横が６５×２０ｍｍの標章表示薄地材１の幅間中央縦向きには、２．４ｍｍ幅の紅色（あるいは赤色）ストライプ３がまたその両側にはそれぞれ約５ｍｍ幅の白色ストライプ４，４が施され、さらにその両外側には０．５ｍｍ幅程度の金色ストライプ５，５が、最外側には３．３ｍｍ幅程度の青色ストライプ６，６が施されている。これら各ストライプの寸法幅は上記に限定されない。
【００１１】  紅色ストライプ３は日の丸の日章を、白色ストライプ４は日の丸の地色を表し、金色ストライプ５は金メダルあるいは国旗金球の色を、また青色ストライプ６は旗がたなびくその背景の空を反映して表してある。これらの模様は表裏に施されている。
【００１２】  紅色ストライプ３と白色ストライプ４，４の面積比は、正式な日の丸国旗における紅丸と白色下地との面積比と同じになるようにしてある。図２に示すように、紅色ストライプ３と白色ストライプ４，４の各幅を実際の正式日の丸国旗の直径と白色下地の上下幅寸法の比率と同じに設定してもよい。
【００１３】  尚、図１の右上欄のように、旗類（あるいは幟）である標章表示薄地材１−Ａとしたり、右下欄のようにペナントである標章表示薄地材１−Ｂとしてもよい。
また、図３のように、紅色部分１３を日章のような丸形にしたり、図４のように、縦列複数個の紅色部分１５…にしてもよい。１６は例えば、「１０周年記念」を英語（１０ｔｈ  Ａｎｎｉｖｅｒｓａｒｙ）で表示したものである。図３の例にもこうした記念表示をしてもよい。
【００１４】  さらに、図５は紅色部分１７を角形にして複数個（あるいは１個）としたもので、図６のように紅色部分１９を三角形（複数あるいは１個）を基本とするものにしてもよい。図５および図６にも記念表示を付してあるが、省略してもよい。
【００１５】  図１ないし図６に例示するリボン徽章を日の丸応援リボンとして胸に付して、例えば、祝祭日に出歩いたりあるいはイベントに参加するなどすることにより、日の丸としての日本の尊厳を日本人に広く深く周知させるようにし、また東京オリンピックイベントの成功や日本の未来目標の達成を該リボンによる象徴化により広く祈願してもらうようにするために使われる。
【００１６】  尚、図１ないし図６に示す標章表示薄地材に使用した標章Ａは、図７のようなノート２２に横向きに付したり、図８のようなノート２４に縦向きに付したデザインとしてもよい。また、図９に示すように、Ｔシャツ２６などの衣類にも付して装飾とすることができる。
標章Ａは、図７ないし図９の使用例の他に、暖簾・店頭幕・応援幕・懸垂幕・横断幕・手旗・タペストリー・はっぴ・うちわ・扇子・お守り・絵馬などを対象に付すことができる。
【００１７】  図１０および図１１は付加的な提案例を示す。
図１０に示す安全ピン３１付き標章表示薄地材３２は、全体が黄色などの蛍光色を施されて夜間歩行時に反射機能により安全が確保されるようにしてあるとともに、バーコードリーダー３３あるいはＱＲコードリーダーが付されてそれを付帯する人の行動確認ができるようにしたものである。
【００１８】  図１１のように安全ピン３５付き標章表示薄地材３６も同様に黄色などの蛍光色を施されているものであるが、ＧＰＳ端末チップ３７を付したものを胸などに装着しておくことで例えば、徘徊癖のある認知症の方の徘徊時の位置情報を察知できるようにすることもできる。
【符号の説明】
【００１９】  １…標章表示薄地材  １ａ…切欠き  ３…紅色ストライプ  ４…白色ストライプ  ５…金色ストライプ  ６…青色ストライプ  １０…安全ピン。
【図１】
0003218449.tif 000003
【図２】
0003218449.tif 000004
【図３】
0003218449.tif 000005
【図４】
0003218449.tif 000006
【図５】
0003218449.tif 000007
【図６】
0003218449.tif 000008
【図７】
0003218449.tif 000009
【図８】
0003218449.tif 000010
【図９】
0003218449.tif 000011
【図１０】
0003218449.tif 000012
【図１１】
0003218449.tif 000013
【手続補正書】
【提出日】平成30年7月20日(2018.7.20)
【手続補正１】
【補正対象書類名】実用新案登録請求の範囲
【補正対象項目名】全文
【補正方法】変更
【補正の内容】
【実用新案登録請求の範囲】
【請求項１】
布帛、樹脂あるいは紙質による薄地材よりなり一辺が短く他辺が長くなった矩形をしたもので先端端部には山型切欠きが形成され、短い一辺を幅方向として、その幅間中央には紅色あるいは赤色のストライプあるいは丸形状がまたその両側には白色ストライプが施されているとともに、白色ストライプの各外側には金色ストライプが、さらに最外側には青色ストライプが施されてなる標章表示薄地材。
【手続補正２】
【補正対象書類名】明細書
【補正対象項目名】０００６
【補正方法】変更
【補正の内容】
【０００６】  本考案は上記目的を達成するため、請求項１に記載の考案は、布帛、樹脂あるいは紙質による薄地材よりなり一辺が短く他辺が長くなった矩形をしたもので先端端部には山型切欠きが形成され、短い一辺を幅方向として、その幅間中央には紅色あるいは赤色のストライプあるいは丸形状がまたその両側には白色ストライプが施されているとともに、白色ストライプの各外側には金色ストライプが、さらに最外側には青色ストライプが施されてなる。
【手続補正３】
【補正対象書類名】明細書
【補正対象項目名】０００７
【補正方法】変更
【補正の内容】
【０００７】  上述したように請求項１に記載の考案は、布帛、樹脂あるいは紙質による薄地材よりなり一辺が短く他辺が長くなった矩形をしたもので先端端部には山型切欠きが形成され、短い一辺を幅方向として、その幅間中央には紅色あるいは赤色のストライプあるいは丸形状がまたその両側には白色ストライプが施されているとともに、白色ストライプの各外側には金色ストライプが、さらに最外側には青色ストライプが施されてなるので、日の丸を特別の態様に具象化した美的標章を付したリボン徽章や旗類等をイベント参加時や平時生活上などにおいて広く使用することによって東京オリンピックをはじめ国内での関連するイベントが日の丸尊厳意識のもと盛り上がって成功に導かれるようにするとともに平時においても日の丸尊厳意識を高く維持した生活が営まれるようにすることができるリボン徽章・旗類などの標章表示薄地材を提供することができる。